(57)【要約】【解決手段】井戸の容量損失及び各種水質問題を引き起こす堆積物質を取り除くため、水井戸及び周囲の帯水層内に、固体、液体、及び気体の二酸化炭素（ＣＯ２）を使用して、制御されたエネルギーを送出するための改良された方法が提供される。処理対象の井戸に関わる問題を適切に調べ評価した後、注入の間リアルタイムでモニタリングし、井戸及び帯水層内で起きるＣＯ２の相変化を操作することにより、要求量のＣＯ２及びエネルギーが適切に注入される。【選択図】図１
2004530534.tif 000002
【特許請求の範囲】
【請求項１】
井戸を取囲む地層内の水から井戸内への水流を活性化する方法において、
前記井戸及び周囲帯水層の履歴と物理的特性に関する情報を収集する段階と、
前記井戸内の内部状況を監視するための遠隔測定機械を設ける段階と、
前記井戸を加圧できるようなやり方で前記井戸を密封する段階と、
液体ＣＯ２が前記井戸内で固体化して固体ＣＯ２を形成するような地下穴内圧力で、前記井戸内に液体及び気体の二酸化炭素（ＣＯ２）を導入する段階と、
前記遠隔測定機械により提供された情報に従って、前記密封された井戸内に送り込まれるＣＯ２の相を操作し調整する段階と、
固体ＣＯ２で前記井戸を充満させるのが所望のレベルに達するまで、前記液体及び気体のＣＯ２の前記井戸内への導入を継続する段階と、
前記固体ＣＯ２の入った密封された井戸を、前記密封された井戸に入っている固体ＣＯ２が昇華するに十分な時間放置する段階と、
前記密封された井戸内の残留圧力を解放する段階と、
前記井戸を密封状態から解放する段階と、を含むことを特徴とする方法。
【請求項２】
前記井戸を密封する段階は、密封手段を井戸のケーシング上に又は井戸内に配置する段階と、前記密封手段を井戸のケーシング上に又は井戸内に固定する段階と、を含むことを特徴とする請求項１に記載の方法。
【請求項３】
前記液体ＣＯ２の導入前に、前記密封された井戸を気体ＣＯ２でパージする段階を更に含んでいることを特徴とする請求項１に記載の方法。
【請求項４】
所望の水流を得るために、前記方法の各段階を複数回繰り返すことを特徴とする請求項１に記載の方法。
【請求項５】
前記ＣＯ２の相を、地下穴内圧力を約０から７５ｐｓｉの間の範囲内に維持することにより、操作し調整することを特徴とする請求項１に記載の方法。
【請求項６】
前記ＣＯ２の相を操作し調整する段階は、固体ＣＯ２の形成を促す負圧の間欠パルスを送出する段階を含んでいることを特徴とする請求項５に記載の方法。
【請求項７】
前記井戸内でのバクテリアの繁殖を除去する段階を更に含んでいることを特徴とする請求項１に記載の方法。
【請求項８】
前記井戸内に含まれるスケールを除去する段階を更に含んでいることを特徴とする請求項１に記載の方法。
【請求項９】
前記密封された井戸内の固体ＣＯ２の昇華により、密封された井戸内に圧力を生成し、時間経過により炭酸が井戸の地層内に放出されることを特徴とする請求項７に記載の方法。
【請求項１０】
前記地下穴内圧力は、構成体及び周囲の地層内の水分を確実に凝固させるのに十分であることを特徴とする請求項１に記載の方法。
【請求項１１】
前記遠隔測定機械は、地下穴内温度及び圧力遠隔測定トランスデューサを備えていることを特徴とする請求項１に記載の方法。
【発明の詳細な説明】
【０００１】
【発明の属する技術分野】
本出願は、２０００年１２月８日出願の米国仮特許出願第６０／２５４，１４９号であるマンスイによる「アクアフリード処理」からの優先権を請求し、当仮出願の開示内容を出典を明示することによって本願明細書の一部とする。
本発明は、水井戸に関し、より厳密には、井戸及び周囲の帯水層から堆積した物質を除去するための改良された方法に関する。本方法は、概括的には、最初に具体的な井戸に付帯する問題を適切に評価し、次いで制御され遠隔測定的に監視された方法で固体、気体、液体の二酸化炭素（ＣＯ２）の相変化から引き出されたエネルギーを井戸内に注入し、そのような堆積した物質を除去することから成る。
【０００２】
【従来の技術】
先行技術では、干上がった井戸又は供給水量が不十分な井戸の水流を活性化するための技術が明らかにされている。例えば、カタニア他に発行された米国特許第５，３９４，９４２号では、乾燥又は水量不足の井戸の圧力がシールキャップを使用して所望のレベルまで調整され、毒性のない気体及び液体二酸化炭素（ＣＯ２）が井戸内に導入されるが、当該開示を本願に参考文献として援用する。気体及び／又は液体の圧力と流れは、液体ＣＯ２を密封された井戸に入れると井戸内で急激に固体化するような約０から７０ｐｓｉの間の圧力のレベルに調整される。この液体ＣＯ２は、井戸が固体ＣＯ２で充満するまで加えられ、次いで固体のシールされたＣＯ２が充填された井戸は、そのまま放置され、固体ＣＯ２が徐々に昇華する。井戸の構成体と固体ＣＯ２との間には温度差があるので、固体ＣＯ２が昇華すると気体ＣＯ２が構成体内に放出され、その結果、ＣＯ２が構成体内の水と接触する際に炭酸（Ｈ２ＣＯ３）が生成される。井戸内にＨ２ＣＯ３が存在すると、構成体の表面からバクテリア、特に鉄関連のバクテリアを除去するのを助け、殺菌効果が発揮される。固体ＣＯ２の昇華が完了すると、井戸の残留圧は全て解除され、井戸はシール状態ではなくなる。更に、井戸及び井戸構成体内での凝固により、掘削泥や天然の粘土や沈泥等の物質から成る井戸表面の凝固物や、井戸構成体及び井戸スクリーン内の他の物理的な遮蔽物及び／又は鉱物スケーリングが除去される。必要に応じて、井戸内への水流が十分になるまでこの処理が繰り返される。
【０００３】
しかしながら、このようなプロセスで処置される井戸は、それぞれ全て、他の処置対象の井戸とは少しづつ異なる。従って、乾燥又は水量不足の井戸を処置する前に、帯水層と井戸内の問題の種類を評価することが望ましい。この評価は、井戸及び周囲の帯水層の表面から堆積物を効果的に取り除くことができるようにするため、ＣＯ２の相変化の間に送り出される、攪拌、溶解、及び剥離に必要なエネルギーを送出する最も効果的な方法を決めるのに役立つ。例えば、米国特許第５，３９４，９４２号に開示されたプロセスの間の注入エネルギー量は、井戸の設計、井戸の問題、井戸の構造、及び現場の考察により変わる。
【０００４】
更に、液体ＣＯ２は、気体ＣＯ２を供給しながら、ショートパルスの液体として井戸内に導入される場合が最も多い。このショートパルスには、追加エネルギーの注入に水井戸がどのように反応するかを判定するという目的がある。個々の井戸の種類次第で、注入圧力は０から３００ｐｓｉの範囲に亘るので、液体ＣＯ２注入段階の間の各種圧力を観察することが重要である。従って、堆積物質を落とすために井戸内にＣＯ２を注入する方法において、井戸内部の圧力と温度をリアルタイムで監視することができる方法を提供することが望ましい。この監視は、井戸内のＣＯ２の相及び相変化を操作するために、気体及び液体ＣＯ２の必要な注入速度を求め、その結果、井戸内へのエネルギー送出をより良好に制御できるようにするために必要な情報を提供することになる。
【０００５】
最後に、ＣＯ２の物理的性質、及びＣＯ２が注入されるときの井戸内部の状態のため、気体及び液体ＣＯ２の注入だけで望ましい相変化が全て達成されるわけではない。深い井戸、又は静水圧が７５ｐｓｉより高い井戸では、所望の相変化が常に実現されるわけではない。井戸内部、及び静水圧が７５ｐｓｉよりも高い条件の下では、井戸は圧力容器に非常に良く似ており、相変化は周囲の帯水層内に散逸する圧力から生じ、温度は、熱量が水及び周囲の構成体に伝達されるため変化する。井戸内の圧力が７５ｐｓｉよりも高く静水圧が７５ｐｓｉよりも高い場合は、液体ＣＯ２は周囲の構成体にしみ込み、固体にならず気体に変換する。これは、時として所望するよりも急激な相変化となる。従って、井戸内のＣＯ２がより効率的且つ有用に相変化できるようにする温度及び圧力操作の方法を有することが望ましい。
【０００６】
【発明が解決しようとする課題】
従って、本発明の全体的な目的は、井戸の容量に損失を来たし且つ様々な水質問題を引き起こす堆積物質を除去するために、水井戸及び周囲の帯水層内へ、気体及び液体のＣＯ２を使ってエネルギーを制御しつつ送出する方法を提供することである。
本発明の目的は、堆積物質を除去するために、水井戸及び周囲の帯水層内へ、気体及び液体のＣＯ２を使ってエネルギーを制御しつつ送出する方法において、最初に、井戸及び帯水層の有孔容積を塞いでいる堆積物質を効果的に除去するのに必要な正確且つ精密なエネルギー量を予め決めることができるような適切且つ詳細なやり方で、井戸を調査することを特徴とする方法を提供することである。
【０００７】
本発明の別の目的は、堆積物質を除去するために、水井戸及び周囲の帯水層内へ、気体及び液体のＣＯ２を使ってエネルギーを制御しつつ送出する方法において、井戸内の圧力及び温度に関する情報を得て、それにより井戸へ送られるエネルギーをより良好に制御できるようにするために、ＣＯ２の注入の間、井戸を監視することを特徴とする方法を提供することである。
本発明の更に別の目的は、水面下の環境に発生する各種圧力に依存する変化の制御を通して、注入された気体及び液体ＣＯ２の相変化の操作法を提供することである。
【０００８】
【課題を解決するための手段】
本発明は、最初に具体的な井戸に付帯する各種問題を適切に評価し、堆積物質を除去するために、蓋をかぶせて密封した井戸の中に、固体、気体、及び液体のＣＯ２の相変化から引き出されるエネルギーを、制御され遠隔測定的に監視されたやり方で注入することにより、乾燥した又は水量不足の井戸及び周囲の帯水層から堆積物質を除去するための改良された方法に関するものであり、これにより先行技術の問題は解決される。
【０００９】
乾燥した又は水量不足の井戸に関して、どの様な種類の作業を行う場合でもその前に、施行人は、中に入っている水の化学的性質、地球物理学的記録又は掘削人の記録、地下水微生物学、地下穴のビデオ画像、及び存在するその他全ての情報を調べることにより、その井戸の履歴及び性質に関する情報を収集しなければならない。
【００１０】
米国特許第５，３９４，９４２号に開示されているように、気体及び液体のＣＯ２を注入する間の井戸内部の様々な物理的及び化学的反応を監視することにより、このようなプロセスの間に、物質をより良好に操作及び制御できるようになる。例えば、遠隔測定を行って、井戸に関するプロセス全体を通して圧力及び温度を監視することにより、品質管理及び改良の可能性を目指したデータ収集を行える。更に、ｐＨ、溶解沈泥総量、導電性、ＣＯ２の様なパラメーターの直接連続監視を組み込むこともできる。こうすることでプロセスを洗練し、プロセスの間、より少ないＣＯ２を効率的に使用する方法を提示し、付随して注入ＣＯ２レベルを下げるような、プロセスをより効果的且つ効率的にすることができる。
【００１１】
水井戸内にＣＯ２を注入する際に最も重要なことは、気化（液体から気体）、凝固（液体から固体）、及び昇華（固体から気体）の相変化による井戸内の水の過剰な凝固を起こすことなく、井戸及び周囲の構成体へ十分な液体及び気体のＣＯ２を注入することである。井戸の表面及び周囲の帯水層から堆積物を効果的に落とせるようにするのは、これら相変化の間に放出されるエネルギーである。凝固を防止するため、プロセスの第１部分では、井戸と、構成体内側へ或る距離の両方から水を排出するに十分な長い時間、気体ＣＯ２を注入する。これは、液体ＣＯ２を注入することのできる泡として説明することができる。ある量の水が排出された後、なお気体ＣＯ２を供給しつつ、液体ＣＯ２が密封された井戸内に、殆どの場合ショートパルス状に導入される。井戸が追加エネルギーの注入にどのように反応するかを判定する目的で、パルスは短くされている。液体ＣＯ２注入段階の間の各種圧力を観察することは、非常に重要である。更に、静水圧又は注入の間の井戸内部の圧力が７５ｐｓｉよりも高い場合には、負圧真空の間欠パルスにより固体ＣＯ２の形成を促すことができる。最後に、注入ライン内部で液体ＣＯ２から固体ＣＯ２への相変化が生じると、圧力ゲージのスパイクを発生させ、また液体ＣＯ２を閉じ込めた状態で潜在的に危険な状況を作り出すことから、これを防止することが重要である。これは、注入ライン内の圧力を７５ｐｓｉより高く維持することにより防止できる。
【００１２】
【発明の実施の形態】
乾燥又は水量不足の井戸の出力を上げるため何らかの作業を始める前には、帯水層及び井戸の問題の種類を評価する必要がある。これは、全ての井戸は、物理的特徴及び特性並びに水流に存する問題の種類という見地から、他と少しづつ違っているからである。更に、米国特許第５，３９４，９４２号に開示されているプロセスの間のエネルギー注入量は、井戸の設計、井戸の問題、井戸の構造、及び現場の考察により変動する。従って、乾燥又は水量不足の井戸に何らかの作業を行う際には、その前に、施行人は、井戸の履歴及び性質に関する情報を収集しなければならない。この様な評価的情報は、地球物理学的記録又は掘削人記録、井戸内に含まれる水の化学的分析、地下水の微生物学的分析、地下穴のビデオ画像、及び存在する他の情報源に含まれている。情報を適切に収集し分析することにより、この前処理精密検査は、井戸の出力又は効率を高める最も効果的且つ適切な方法を決定するのに役立つ。
【００１３】
例えば、プロセスの開始時に、井戸と周囲の構成体内側へ或る距離の中の水を排出するに十分な期間、気体ＣＯ２を導入することが重要である。これにより、エネルギーの殆どが含まれている液体ＣＯ２を、井戸穴近くでの凝固を殆ど伴わずに周囲の構成体に送り出すことができる。帯水層の有孔容積は、周囲の構成体内側に比べると井戸穴近くでは相当に少ない。液体ＣＯ２の導入が注入プロセス内で早過ぎると、井戸付近の水の凝固により周囲の帯水層へのエネルギー浸透が防げられる。浸透を増大し、詰っている堆積物をより効果的に除去することは、従って、気体と液体のＣＯ２を同時に様々に組み合わせて流すことにより実現される。これにより、気体ＣＯ２を液体ＣＯ２のキャリアとして使用して、追加のエネルギーを周囲の帯水層内に散布し、井戸及び帯水層の有孔容積を塞いでいる堆積物質を効果的に除去できるようになる。
【００１４】
ＣＯ２を水井戸内に注入する際に最も重要なことは、井戸内の水を過剰に凝固させることなく、井戸及び周囲の構成体内に十分な量を注入することである。これは、気体ＣＯ２をプロセスの第１部として注入することにより実現される。気体ＣＯ２を十分に長い期間注入すると、井戸から、及び構成体内側へ或る距離に関し、水を排出することができる。これは、液体ＣＯ２を注入することのできる泡として説明することができる。ある量の水が排出された後、密封された井戸内に液体ＣＯ２を導入することができる。液体ＣＯ２は、殆どの場合、なお気体ＣＯ２を供給しながら、ショートパルスの液体として井戸に導入される。このショートパルスには、水井戸が追加エネルギーの注入にどの様に反応するかを判定するという目的がある。液体ＣＯ２注入の段階の間に、各種圧力を観察することは非常に重要である。液体ＣＯ２は、エネルギーの大部分が含まれているところである。多くの井戸についての経験から、注入の圧力は、０−３００ｐｓｉの範囲がよい。
【００１５】
本出願の図１に、本発明の方法に従って使用される、井戸に設置された装置を示している。全体的な手順は、全ての注入及び監視装備、即ち、パッカー井戸キャップ１、井戸ケーシング６、地下穴用遠隔測定プローブ９、及び交互真空・圧力監視ライン１０を、井戸スクリーン５内へ、井戸に対して行われた評価精密検査に基づいてエネルギーの注入に選択された帯域に配置する段階を含んでいる。この装備を井戸内に配置し終えると、パッカー１を膨張させて井戸を密封し、加圧された気体及び液体のＣＯ２、従ってＣＯ２に含まれるエネルギーの注入を最適化する。パッカー１は、通常は井戸ケーシング６の内部に配置される。パッカー１は膨張ライン３を通して膨らまされ、パッカー１に掛る圧力は圧力ゲージ４で監視される。井戸が密封された後、気体ＣＯ２が、ＣＯ２貯蔵容器から、容器の蒸気空間又は気化器（全て図示せず）の何れかより放出され、ＣＯ２注入ライン１１を通して井戸内に導入され、全ての水分が輸送ライン及び井戸シール直下の区域から確実に排出される。液体ＣＯ２ホース（図示せず）は、注入ライン１１にも接続されている。次に、気体及び／又は液体ＣＯ２、或いは窒素が、密封された井戸の注入帯域１６に注入される。気体及び／又は液体ＣＯ２の注入は、井戸の表面から沈積物をはがすのに必要なエネルギーを有しており、井戸を掘る間及びその後の両方で、井戸から沈積物を除去することができる。気体及び／又は液体ＣＯ２を、注入ライン１１を介して注入する時間は、数秒から数分或いは数時間と様々で、ケーシング圧力ゲージ８、真空・圧力監視ゲージ１３、又は注入ライン圧力ゲージ１４を監視することにより求められる井戸内の圧力によって決まる。注入ライン１１は複数でもよく、複数のラインは、図面には示されていないが、井戸の深度、井戸の直径、作動などの要因で判断され、井戸内の異なる深度に配置される。最後に、気体及び液体のＣＯ２は、所望量のＣＯ２が井戸内に注入されるまで、注入ライン１１を通して繰り返し注入される。
【００１６】
ケーシング圧力ゲージ８、真空・圧力監視ゲージ１３、又は注入ライン圧力ゲージ１４、及び温度計１５を介して、又は地下穴用温度及び圧力遠隔測定トランスデューサ９に接続されたコンピュータ７により、井戸内の圧力と温度をリアルタイムで監視することにより、注入されたＣＯ２の相を求めることができる。そうすると、注入ライン１１を通る気体及び液体のＣＯ２の注入比を変えることにより、圧力を操作することができる。密封された井戸の注入帯域１６内部の注入所望地点に真空の間欠パルスを発生させることにより、又は交互真空圧力監視ライン１０を介して真空ポンプ２により監視することによっても、圧力は操作できる。注入ライン１１の安全弁１２が故障したり作動不能になった場合に、井戸シールの封じ込めを確保するために、破裂ダイヤフラム（図示せず）が設けられ、僅かに高い圧力に設定されている。
【００１７】
気体及び液体のＣＯ２が加圧下で注入されたときの井戸内部の有益な作用として、炭酸（Ｈ２ＣＯ３）の形成が挙げられる。ヘンリーの法則によれば、ガスの溶解度は、圧力と温度に依存する。水の中のＣＯ２の溶解度は、圧力の増加及び温度の低下に伴って上がり、水に溶解したＣＯ２はＨ２ＣＯ３を形成する。これは、通常は弱い酸と考えられているが、溶解度が増すとこの酸は強い酸になる。結果としてのｐＨは、井戸の深度及び注入プロセスの段階により変動する。高い静水圧を有する深い井戸では、ｐＨは、浅い井戸の場合よりも低くなる。この結果、Ｈ＋イオンが発生することにより高い化学的溶解能力を有する強力な酸となる。圧力に加え、水の温度はＣＯ２注入プロセスの間に低下する。温度が下がると、ＣＯ２の溶解度は上がり、ｐＨは下がる。更にプロセスが進むと、酸はより強力になり、井戸の水流を妨げている鉱物を化学的に溶解する能力が高くなる。こうして、井戸を閉じたままにしておくと、通常は一晩で、Ｈ２ＣＯ３が鉱物性堆積物を溶解する。
【００１８】
ＣＯ２が加圧下で密封された井戸に注入されるときに発生する相変化の形態は３つある。第１は気化であり、これは井戸及び周囲の帯水層内部の圧力に左右される様々な体積膨張を伴う、液体ＣＯ２から気体ＣＯ２への相変化である。注入地点の深度により、及びより重要にはその地点の静水圧により、ＣＯ２１パウンド当たり放出されるガスの容量は異なる。例えば、大気圧での体積増加は凡そ５６０倍であるが、３００ｐｓｉの圧力では体積増加は凡そ１９倍である。
【００１９】
次は凝固であるが、これは液体ＣＯ２から固体ＣＯ２への相変化である。パッカー１直下の圧力は、液体ＣＯ２が密封された井戸に入ると直ぐに固体化するようなレベルに保たれる。この圧力は、約０から７０ｐｓｉの間に調整されるのが望ましい。液体ＣＯ２の温度は、この時点で凡そ１１０°Ｆである。井戸内部での固体ＣＯ２の形成は、固体ＣＯ２が昇華して気体ＣＯｓになる際にエネルギーがゆっくりと放出されることから望ましい。これにより、攪拌のエネルギーと剥離のエネルギーが継続的に供給される。
【００２０】
最後に、固体ＣＯ２から気体ＣＯ２への昇華は、これにより攪拌のエネルギー、溶解のエネルギー、及び剥離のエネルギーが井戸及び周囲の帯水層内に放出される点で、米国特許第５，３９４，９４２号に開示されているプロセスに関わる有益な相変化である。この相変化は、他の変化よりもずっとゆっくりであり、井戸及び周囲の構成体内へのエネルギー放出がより長い時間に亘って起きる。この長い期間のエネルギー放出により、進行性の洗い落とし効果が発揮され、表面からの堆積物の剥離及び除去に拍車が掛る。この進行性のエネルギー放出は、井戸を一晩遮蔽するか閉じるかすると起こる。
【００２１】
密封された井戸内に送り出されるＣＯ２の相は、注入の方法により操作し調整することができる。この操作は、気体ＣＯ２を注入して井戸からある程度の水量を除去することにより実現される。井戸から水を除去することにより、液体及び気体ＣＯ２を、井戸にあまりに接近したところで水を凝固させることなく、帯水層に浸透させることができる。井戸内部の水が凝固すると、周囲の構成体へのエネルギーの浸透能力が制限される。井戸から水を除去すると、静水圧も低下させることができるので、注入開始以前の静水圧が７５ｐｓｉよりも高くても、固体ＣＯ２を形成させることができる。注入時の静水圧又は井戸内部の圧力が７５ｐｓｉよりも高ければ、負圧真空の間欠パルスにより固体ＣＯ２の形成を誘起することができる。これにより、井戸内部の相変化の操作、特に有益な固体ＣＯ２の形成が可能になる。
【００２２】
ＣＯ２が保有する大量の有益なエネルギーは、その液体の形態中にある。従って、液体ＣＯ２を井戸に送出し、注入ラインの内部ではなく井戸の表面で相変化を起こさせるのが望ましい。注入ライン内でＣＯ２が凝固すると、圧力ゲージのスパイクを発生させ、また液体を閉じ込めた状態で潜在的に危険な状況を作り出す。注入ライン内部での液体ＣＯ２から固体ＣＯ２への相変化を防止するには、注入ライン内の圧力を７５ｐｓｉより高く維持すればよい。これは、深い井戸では実現し易いが、浅い井戸では静水圧が低いため困難である。浅い井戸では、気体ＣＯ２と液体ＣＯ２の供給比率を調整すると、注入ラインの圧力を上げることができる。
【００２３】
また、気体ＣＯ２と液体ＣＯ２の間には粘度差がある。井戸内に、気体ＣＯ２を継続して供給しながら、導入される液体ＣＯ２のパルスは、プロセスが続くにつれて、周波数と長さを増すことができる。気体ＣＯ２を伴って液体ＣＯ２を供給することにより、液体を、井戸及び周囲の構成体内により効果的に搬入することができる。従って、気体ＣＯ２は、液体ＣＯ２のキャリアと見なすことができる。更に、気体ＣＯ２は粘度が高く、従って、液体ＣＯ２ほど注入ライン内を容易に流れない。気体−液体混合物内の気体ＣＯ２の比率を高めると、ラインを通る流れは妨げられ、ラインに掛る背圧は高くなる。背圧が高ければ、液体ＣＯ２が凝固しない点まで圧力を上げることができる。これにより、注入ライン内部ではなく、井戸及び周囲の構成体の内部で相変化を起こさせることができるようになる。
【００２４】
井戸に固体ＣＯ２が充填され、固体ＣＯ２が昇華した後、井戸内に残っている残留圧力を解放しパッカー１を取り外す。この時点で、井戸内の水流は活性化し、井戸内のバクテリアは抑制される。必要に応じ、所望の効果が得られるまで、このプロセスを何回繰り返してもよい。通常は、所望の効果を得るには１サイクルで十分である。特別の状況では、複数回のサイクルが採用される。
【００２５】
なお、米国特許第５，３９４，９４２号に開示されているプロセスのエネルギー送出能力も、井戸の掘削及び造成の間の掘削泥土及び他の物理的障害物の除去を助けるのに効果的である。掘削泥土、天然の粘土及び沈泥、及び他の物理的な障害物の除去は、従来からの造成手順の最も困難な部分といえる。気体及び液体のＣＯ２のエネルギーは、これら物質を破壊し分散させるのに効果的である。
【００２６】
本発明は、乾燥又は水量不足の井戸内の水流を活性化するための改良された方法を提供する。本方法は、何れかの井戸の種類に限定されるものではなく、実際に、本発明の方法は、既知の何れの種類の井戸でも水流を活性化するために使用することができる。米国特許第５，３９４，９４２号に開示されているプロセスは、水平又は指向的に堀削された井戸の造成に非常に効果的であると証明されている。以上、本発明を代表的な実施例に関連付けて説明してきたが、設計及び使用法の両方において多くの修正を加え得ることは当業者には自明であろうとの理解に立ち、本出願はその適合化及び変型形態の全てを包含することを意図する。従って、本発明は、特許請求の範囲に述べる事項及びその等価物によってのみ限定されることを明白に意図するものである。
【図面の簡単な説明】
【図１】
本発明の方法で使用される装置の概略図である。
【国際公開パンフレット】
2004530534.tif 000003
2004530534.tif 000004
2004530534.tif 000005
2004530534.tif 000006
2004530534.tif 000007
2004530534.tif 000008
2004530534.tif 000009
2004530534.tif 000010
2004530534.tif 000011
2004530534.tif 000012
2004530534.tif 000013
2004530534.tif 000014
2004530534.tif 000015
2004530534.tif 000016
2004530534.tif 000017
2004530534.tif 000018
2004530534.tif 000019
2004530534.tif 000020
2004530534.tif 000021
2004530534.tif 000022
【国際公開パンフレット（コレクトバージョン）】
2004530534.tif 000023
2004530534.tif 000024
【国際調査報告】
2004530534.tif 000025